(57)【要約】【課題】好適な撮影画像を取得することができる撮影装置を提供すること。【解決手段】装置の外装の温度に関する温度情報を検出する温度検出部（第１温度センサ２０）と、光学系による像を撮影し画像を出力する撮影部１０と、前記画像の色温度を補正するための補正信号を出力する補正信号出力部３０と、前記温度情報、及び、前記補正信号を用いて前記画像の色温度を補正するように制御する制御部５０とを含む【選択図】図２
2011019036.tif 000002
【特許請求の範囲】
【請求項１】
装置の外装の温度に関する温度情報を検出する温度検出部と、
光学系による像を撮影し画像を出力する撮影部と、
前記画像の色温度を補正するための補正信号を出力する補正信号出力部と、
前記温度情報、及び、前記補正信号を用いて前記画像の色温度を補正するように制御する制御部とを含むことを特徴とする撮影装置。
【請求項２】
請求項１に記載された撮影装置であって、
撮影者が操作可能な操作部を有し、
前記補正信号は、前記操作部の操作量に対応した信号であることを含むことを特徴とする撮影装置。
【請求項３】
請求項１に記載された撮影装置であって、
前記画像を用いて撮影状態を解析する解析部を有し、
前記補正信号は、前記解析部の解析結果に対応した信号であることを特徴とする撮影装置。
【請求項４】
請求項１から請求項３までの何れか一項に記載された撮影装置であって、
前記補正信号は、前記温度検出部により検出された温度とは異なる基準温度信号と、前記制御部による前記画像の色温度のオフセット量に対応するオフセット信号とを含み、
前記制御部は、前記温度情報に対応する値と前記基準温度信号に対応する値との差分に前記オフセット信号に対応する値を掛け算した量だけ、前記画像の色温度を補正するように制御することを特徴とする撮影装置。
【請求項５】
請求項１から請求項４までの何れか一項に記載された撮影装置であって、
前記温度検出部とは間隔を隔てて前記撮影装置のグリップの近傍に備えられた検出部を有し、
前記制御部は、前記温度情報と、前記検出部から出力された信号とを用いて撮影装置の外部の温度を推定し、推定された温度を用いて制御をすることを特徴とする撮影装置。
【請求項６】
請求項３から請求項５までの何れか一項に記載された撮影装置であって、
前記制御部は、前記解析部により前記画像の主要被写体が風景であると解析されたとき、前記解析部により前記画像の主要被写体が人物であると解析されたときよりも、前記画像の色温度の補正量が大きくなるように制御することを特徴とする撮影装置。
【発明の詳細な説明】
【技術分野】
【０００１】
本発明は撮影装置に関する。
【背景技術】
【０００２】
カメラ本体にマイクロフォンや温度センサを装備し、これらマイクロフォンや温度センサから取得した情報に基づいて撮影パラメータ（シャッタ速度、絞り値、感度、ストロボ発光等）を決定し、カメラの性能や撮影テクニックを超えた味のある写真を撮影できるようにした、カメラ装置が提案されている（特許文献１参照）。
【先行技術文献】
【特許文献】
【０００３】
【特許文献１】特開２００６−２７６１６２号公報
【発明の概要】
【発明が解決しようとする課題】
【０００４】
しかしながら、上述したカメラ装置では、マイクロフォンや温度センサからの情報に基づいて撮影パラメータを決定して撮影するものの、撮影画像そのものの表現力を向上させて、例えば暑さや寒さを表現（強調）すること、すなわち臨場感を伝えることが難しかった。
【０００５】
本発明は、好適な撮影画像を取得することができる撮影装置を提供することを目的とする。
【課題を解決するための手段】
【０００６】
本発明の撮影装置は、装置の外装の温度に関する温度情報を検出する温度検出部と、光学系による像を撮影し画像を出力する撮影部と、前記画像の色温度を補正するための補正信号を出力する補正信号出力部と、前記温度情報、及び、前記補正信号を用いて前記画像の色温度を補正するように制御する制御部とを含むことを特徴とする。
【発明の効果】
【０００７】
本発明によれば、好適な撮影画像を取得することができる。
【図面の簡単な説明】
【０００８】
【図１】本発明の第１の実施形態を示す撮影装置の外観を示す斜視図である。
【図２】図１の撮影装置のブロック図である。
【図３】本発明の第２の実施形態を示す撮影装置のブロック図である。
【発明を実施するための形態】
【実施例１】
【０００９】
図１及び図２を参照して本発明の撮影装置の第１の実施形態を説明する。
【００１０】
本第１実施形態の撮影装置（デジタルカメラ）は、光学系により像を撮影し画像データを出力する、撮影部１０と、デジタルカメラ外装の温度に関する情報（温度情報）を検出する、温度検出部としての第１温度センサ２０と、撮影部１０で撮影した画像（撮影画像）の色温度を補正するための補正信号（ゲインα情報）を出力する、補正信号出力部としてのα設定ボタン３０と、温度情報及び補正信号を用いて画像の色温度を補正（画像データを画像処理）するように画像処理部４０を制御する制御部５０と、画像処理部４０で画像処理した後の画像データを格納するメモリ６０と、撮影部１０、第１温度センサ２０及びα設定ボタン３０と画像処理部４０及び制御部５０とを接続するインターフェース７０とを備える。
【００１１】
撮影部１０は、光学系としての撮影レンズ、絞りなどと、これら撮影レンズ、絞りなどの光学系を介して入力された撮影映像である光学情報を電気信号（画像データ）に変換する撮像素子（Charge Coupled Device）とを備え、変換された画像データを、インターフェース７０を介して画像処理部４０に出力する。
【００１２】
第１温度センサ２０は、例えばサーミスタなどからなり、デジタルカメラ外装の温度情報、例えば外気温（環境温度）を検出し、検出した温度情報（外気温）を、インターフェース７０を介して制御部５０に出力する。
【００１３】
第１温度センサ２０は、図１に示すように、デジタルカメラを手で保持し、操作するときに通常手が触れない箇所（例えば図１の右側参照）、すなわちユーザ（撮影者）の手の温度による影響が極力受けない箇所に配置される。
【００１４】
補正信号としてのゲインα情報は、第１温度センサ２０で検出した温度情報（外気温）に基づいて撮影画像に臨場感を与えるパラメータで、例えば外気温が低いとき、寒色系の色合いを撮影画像に強調し、また外気温が高いとき、暖色系の色合いを撮影画像に強調する、撮影画像の画像処理パラメータの一つである。
【００１５】
典型的なゲインα情報については予め複数のモードが設定されている。例えば、外気温による撮影画像の色調への補正効果をプラス、マイナス、あるいはゼロにする３つのプリセットモードがある。
【００１６】
α設定ボタン３０は、ゲインα情報をプラス、マイナス、あるいはゼロなどのプリセットモードに、ユーザ（撮影者）の操作によって切り替えるための操作ボタンで、α設定ボタン３０で切り替えられたゲインα情報がインターフェース７０を介して制御部５０に出力され、このゲインα情報に基づいて制御部５０により画像処理部４０が制御される。
【００１７】
α設定ボタン３０によってゲインα情報をプラスモードに切り替えた場合には、例えば外気温が低いときには撮影画像をより寒々と表現するように寒色系の色合いで強調し、また外気温が高いときには撮影画像をより暖かく表現するように暖色系の色合いで強調する、撮影画像の色温度分布になるように、画像データに画像処理（色温度補正）が施される。
【００１８】
α設定ボタン３０によってゲインα情報をマイナスモードに切り替えた場合には、例えば外気温が低いときであっても撮影画像は寒色系の色合いで強調されずに逆に暖色系の色合いにし、また外気温が高いときであっても暖色系の色合いで強調されずに逆に寒色系の色合いにする、撮影画像の色温度分布になるように、画像データに画像処理（色温度補正）が施される。
【００１９】
α設定ボタン３０によってゲインα情報をゼロモードに切り替えた場合には、第１温度センサ２０で検出した外気温の影響を全く加味しない撮影画像の色温度分布になるように、画像データに画像処理が施される。
【００２０】
デジタルカメラには、さらにユーザ（撮影者）が操作するとき必ず手が触れるグリップ８０の近傍に配置された検出部としての第２温度センサ９０と、撮影状態に対応した補正信号（基準温度Ｔｏ情報）を出力する、補正信号出力部としてのＴｏ設定ボタン１００とが装備される。
【００２１】
第２温度センサ９０は、サーミスタなどからなり、デジタルカメラを操作するユーザの手の温度を検出し、検出した信号を、インターフェース７０を介して制御部５０に出力する。
【００２２】
第２温度センサ９０で検出し、出力した信号は、第１温度センサ２０で検出した温度情報とともに外気温（環境温度）を推定するのに使用される。
【００２３】
第１温度センサ２０のみで外気温（環境温度）を検出することは可能ではあるが、ユーザ（撮影者）がデジタルカメラを手で持ちながら検出したときにユーザの手の温度の影響を全く排除することが難しい場合があることを配慮したものである。
【００２４】
例えば、外気温が低いとき、ユーザ（撮影者）がデジタルカメラを手で持ちながら第１温度センサ２０で外気温を検出する場合、ユーザ（撮影者）の手の温度の影響を受けて実際の外気温よりも高く検出されることがあるので、それを補正するために第２温度センサ９０で検出した温度信号が利用される。
【００２５】
また、第２温度センサ９０で検出した温度信号は、ユーザ（撮影者）がデジタルカメラを手で持って撮影したか、あるは手で持たずに三脚を使用して撮影したかの、撮影状態を判別するのにも使用される。
【００２６】
補正信号の基準温度Ｔｏ情報は、上述したゲインα情報とともに撮影画像の画像処理パラメータの一つである。基準温度Ｔｏ情報は、通常、常温を意味するが、常温は温暖地と寒冷地では異なって地域差があり、例えば温暖地では２０℃、寒冷地では１０℃がそれぞれ常温となる。
【００２７】
Ｔｏ設定ボタン１００は、ユーザ（撮影者）が基準温度Ｔｏ情報を切り替え操作するのに使用する操作ボタンで、Ｔｏ設定ボタン１００で切り替えられた基準温度Ｔｏ情報（Ｔｏ設定ボタン１００の操作量に対応）がインターフェース７０を介して制御部５０に出力される。
【００２８】
基準温度Ｔｏ情報は、第１温度センサ２０の温度情報である読み値（検出温度）Ｔとの差分ΔＴ（Ｔ−Ｔｏ＝ΔＴ）を求めるのに使用される。この差分ΔＴにゲインα情報を乗算し（ΔＴ×α）、これを撮影画像の色温度オフセット値として利用する。
【００２９】
例えば、ΔＴ＝０℃―２０℃のときα＝―１９０とすれば、外気温が０℃で撮影された撮影画像の色温度をΔＴ×α＝（０―２０）×（―１９０）＝３８００Ｋに引き上げて、すなわち色温度補正量（色温度オフセット値）を加えて寒さを強調することができる。
【００３０】
ゲインα情報は、第１温度センサ２０の読み値Ｔが基準温度Ｔｏ情報よりも低いとき（Ｔｏ以下）と高いとき（Ｔｏ以上）ときとで異なる値に設定される。
【００３１】
例えば、外気温が０℃で、基準温度Ｔｏ情報２０℃よりも低いときにはα＝―１９０に設定され、また基準温度Ｔｏ情報２０℃よりも高いときにはα＝―１７５に設定される。
【００３２】
制御部５０は、第１温度センサ２０からの温度情報、第２温度センサ９０からの信号、α設定ボタン３０からゲインα情報（撮影画像の画像処理パラメータ）、Ｔｏ設定ボタン１００から基準温度Ｔｏ情報（撮影画像の画像処理パラメータ）をそれぞれ入力し、これら情報に基づいて画像処理部４０に制御信号を出力する。
【００３３】
例えば、第１温度センサ２０、第２温度センサ９０からそれぞれ温度情報、信号を入力して、ユーザがデジタルカメラを手でもっていると判断したときには、第１温度センサ２０から入力した温度情報は実際の外気温よりも高めになっているのでそれを下げる方向に補正する。また、α設定ボタン３０から入力したゲインα情報と、Ｔｏ設定ボタン１００から入力した基準温度Ｔｏ情報をそれぞれ入力し、これら情報と補正された外気温情報とから撮影画像の色温度オフセット値を求め、これを制御信号として画像処理部４０に出力する。
【００３４】
画像処理部４０では、撮影部１０から入力した画像データに対して通常の画像処理を施す他に、制御部５０から入力した撮影画像の色温度オフセット値に基づいて画像処理（色温度補正）を施す。例えば、外気温が低いときには撮影画像をより寒々とするように寒色系の色合いで強調し、また外気温が高いときにはより暖かくするように暖色系の色合いで強調する色温度分布となるように撮影画像に画像処理を施す。
【００３５】
メモリ６０は、例えばＳＤメモリカードなどからなり、上述のようにして画像処理された後の画像データを格納する。
【００３６】
上記第１の実施形態によれば、種々の撮影状態に応じて暑さや寒さなどを強調して臨場感のある、好適な画像を取得することができる。
【実施例２】
【００３７】
図３は本発明の撮影装置の第２の実施形態を示している。
【００３８】
第２の実施形態は、上述した第１の実施形態のデジタルカメラに解析部１１０を追加したものである。なお、図３中、図１、図２に示す構成部分と同一構成部分には同一符号を付してその説明を省略する。
【００３９】
解析部１１０は、撮影部１０から入力した画像データ（撮影画像）から撮影状態、すなわちシーンモード（主要被写体が風景）、ポートレートモード（主要被写体が人物）、マクロモード、夜景モードあるいはスポーツモードで撮影されたかを解析し、その解析結果を制御部５０に出力する。
【００４０】
制御部５０では、解析部１１０からの解析結果に基づいて撮影画像の色温度補正量、すなわちゲインα情報、基準温度Ｔｏ情報に対応する補正信号を設定し、これを画像処理部４０に制御信号として出力する。
【００４１】
例えば、解析結果がシーンモードと解析されたときは、ポートレートモードと解析されたときよりも色温度補正量が大きくなるように画像処理部４０に制御信号を出力する。
【００４２】
これは、主要被写体が風景の場合、色温度補正をして暑さや寒さなどを強調すると臨場感を持たせた撮影画像にすることが出来るが、主要被写体が人物の場合、色温度補正をして暑さや寒さなどを強調してもあまり意味を持たないからである。
【００４３】
上記第２の実施形態によれば、第１の実施形態よりもさらに種々の撮影状態に応じて暑さや寒さなどを強調して臨場感のある、より好適な画像を取得することができる。
【産業上の利用可能性】
【００４４】
暑さや寒さを強調して臨場感のある、好適な撮影画像を得る撮影装置に適用すると有効である。
【符号の説明】
【００４５】
１０      撮影部
２０      第１温度センサ
３０      α設定ボタン（操作部）
４０      画像処理部
５０      制御部
６０      メモリ
７０      インターフェース
８０      グリップ
９０      第２温度センサ
１００    Ｔｏ設定ボタン（操作部）
１１０    解析部
【図１】
2011019036.tif 000003
【図２】
2011019036.tif 000004
【図３】
2011019036.tif 000005